(57)【要約】【課題】複数枚の折板を重ねた場合にも雨水の進入が生じない折板の重ね合せ構造を提供する。【解決手段】上下左右に隣接する折板の端縁部を互いに重ね合わせて複数枚の折板Ｂを固定して壁を構成する施工方法であって、上下左右の折板のうち対角に位置する折板Ｂ１、Ｂ４については、直角に形成されていた端縁部を斜めに切り欠いた傾斜端縁ｄに形成している折板を用い、１枚の折板Ｂ１の傾斜端縁ｄと別の１枚の折板Ｂ４の傾斜端縁ｄとを突合わせ、残る２枚の折板Ｂ２、Ｂ３の直角端縁ｃを表側と裏側に重ねる。対角に位置する折板Ｂ１、Ｂ４の傾斜端縁ｄを突き合わせば、突合せ部分の厚さは実質１枚となる。これに、別の２枚の折板を重ねても突合わせ部分以外は２枚分の重なり厚さにしかならない。このため、折板の他の部分を桟などに固定しても折板Ｂに歪が生じないので、上下の重なり端縁に開口ができず、風雨の進入を防止できる。【選択図】図１
2017210758.tif 000002
【特許請求の範囲】
【請求項１】
上下左右に隣接する四角形の折板の端縁部を互いに重ね合わせる重ね合せ構造であって、
上下左右の折板のうち対角に位置する一対の折板については、端縁部が直角な直角端縁のまま用い、他の一対の折板については、端縁部を斜めに切り欠いた傾斜端縁に形成して用いる
ことを特徴とする折板の重ね合せ構造。
【請求項２】
前記折板が、平坦で広幅の平山部と、該平山部の両側に平坦で小幅の谷部が形成されている板材であり、
前記傾斜端縁が、前記谷部の全幅員を含み、かつ隣接する平山部の一部にかかるように形成されている
ことを特徴とする請求項１記載の折板の重ね合せ構造。
【請求項３】
上下左右に隣接する折板の端縁部を互いに重ね合わせて複数枚の折板を固定して壁を構成する施工方法であって、
上下左右の折板のうち対角に位置する一対の折板については、１枚の折板の傾斜端縁と別の１枚の折板の傾斜端縁とを突合わせ、他の一対の折板については直角端縁を表側と裏側に重ねる
ことを特徴とする折板の施工方法。
【発明の詳細な説明】
【技術分野】
【０００１】
本発明は、折板の重ね合せ構造に関する。さらに詳しくは、屋根や壁等を構成する薄鋼板製の折板の重ね合せ構造に関する。
【背景技術】
【０００２】
建屋の壁を構成するのに薄鋼板製の折板がよく使用されている。折板は、鋼板製の薄平板に連続ロールプレスをかけて山と谷が交互に形成されるようにした建築資材である（特許文献１参照）。
このような折板は横幅寸法が７６ｃｍ、長さが２ｍ〜１０ｍ位のものが一般的であるので、壁を構成するのに何枚も張り付けるのが普通である。とくに、工場や倉庫のような大形の建屋では張付け枚数が相当多くなる。
【０００３】
図８は倉庫ＷＨの壁の施工例を示している。図示の例では折板が縦方向に３枚示され、横方向に４枚示されている。この各折板Ｂ１〜Ｂ４の重ね合せ部分（符号Ｚで示す）は上下左右に隣接する折板Ｂ１〜Ｂ４の上端縁と下端縁を重ね、かつ右側縁と左側縁とが重ねられて、風雨の侵入を防止するようにされるのが普通である。
【０００４】
その重ね合せ構造を図６に基づき説明する。
同図（Ａ）は４枚の折板Ｂ１、Ｂ２、Ｂ３、Ｂ４の端縁部分を示しており、未だ重ねられてない状態である。
【０００５】
同図（Ｂ）は、左下の折板Ｂ１の上端に左上の折板Ｂ２の下端を重ねた状態であり、同図（Ｃ）はついで左下の折板Ｂ１の右側縁に右下の折板Ｂ３の左側縁を重ねた状態である。同図（Ｄ）はさらに右上の折板Ｂ４を左上の折板Ｂ２の右側縁と右下の折板Ｂ３の上端に重ねた状態である。
このように重ねた状態で、各折板Ｂ１〜Ｂ４は壁を構成する横桟などにネジ止めして固定する。
【０００６】
この重ね合せの部分を拡大して断面視したものが、図７である。この従来方法では折板Ｂ１〜Ｂ４の４枚が全て重なった部分が谷部にでき上る。もちろん、４枚が重なった部分は４枚の各折板Ｂ１〜Ｂ４の四隅部分であって、それ以外の側縁同士や上下縁同士は２枚重ねのままであるので、重ね厚さに２倍の開きができる。
【０００７】
こうした状態で、各折板Ｂ１〜Ｂ４をネジ止めしていくと、２枚重ねの部分は互いに密着させることができるが、４枚重ねの部分の付近では、折板が縦桟や横桟から浮いている部分をビス止めするので折板Ｂに撓みが生じ、重ね目に隙間ｇができてしまう。
折板Ｂ１〜Ｂ４が壁を構成している以上、このような隙間ｇは下向きに開口するのであるが、台風や強風時の横なぐりの雨がくると、下向きの隙間ｇから上向きに雨水が侵入し、内部の柱や折板の裏面を腐食させる等の被害が生ずる。
【先行技術文献】
【特許文献】
【０００８】
【特許文献１】特開平８−２７９６１号公報
【発明の概要】
【発明が解決しようとする課題】
【０００９】
本発明は上記事情に鑑み、複数枚の折板を重ねた場合にも雨水の進入が生じない折板の重ね合せ構造を提供することを目的とする。
【課題を解決するための手段】
【００１０】
第１発明の折板の重ね合せ構造は、上下左右に隣接する四角形の折板の端縁部を互いに重ね合わせる重ね合せ構造であって、上下左右の折板のうち対角に位置する一対の折板については、端縁部が直角な直角端縁のまま用い、他の一対の折板については、端縁部を斜めに切り欠いた傾斜端縁に形成して用いることを特徴とする。
第２発明の折板の重ね合せ構造は、第１発明において、前記折板が、平坦で広幅の平山部と、該平山部の両側に平坦で小幅の谷部が形成されている板材であり、前記傾斜端縁が、前記谷部の全幅員を含み、かつ隣接する平山部の一部にかかるように形成されていることを特徴とする。
第３発明の折板の施工方法は、上下左右に隣接する折板の端縁部を互いに重ね合わせて複数枚の折板を固定して壁を構成する施工方法であって、上下左右の折板のうち対角に位置する一対の折板については、１枚の折板の傾斜端縁と別の１枚の折板の傾斜端縁とを突合わせ、他の一対の折板については直角端縁を表側と裏側に重ねることを特徴とする。
【発明の効果】
【００１１】
第１発明によれば、上下左右に位置する４枚の折板を重ねるとき、対角に位置する一対の折板の傾斜端縁を突き合わせば、突合せ部分の厚さは実質１枚となる。これに、別の一対の折板を重ねても上下の重なりと左右の重なりは、いずれも２枚分の重なり厚さにしかならない。このため、折板の他の部分を桟などに固定しても折板に歪が生じないので、上下の重なり端縁に開口ができない。
第２発明によれば、傾斜端縁が谷部の全幅員と平山部の一部を含むことから、表側と裏側に重なる直角端縁をもつ別の２枚の折板で表裏両側から傾斜端縁を覆うことができるので、雨風の侵入防止効果を高く維持できる。
第３発明によれば、上下左右に位置する４枚の折板を重ねるとき、対角に位置する一対の折板の傾斜端縁を突き合わせば、突合せ部分の厚さは実質１枚となる。これに、別の一対の折板を重ねても上下の重なりと左右の重なりは、いずれも２枚分の重なり厚さにしかならない。このため、折板の他の部分を桟などに固定しても折板に歪が生じないので、上下の重なり端縁に開口ができない。よって、風雨の進入を防止できる。
【図面の簡単な説明】
【００１２】
【図１】本発明の一実施形態に係る折板の重ね合せ構造の説明図である。
【図２】本発明の折板の施工方法における第１工程の説明図である。
【図３】本発明の折板の施工方法における第２工程の説明図である。
【図４】本発明の折板の施工方法における第３工程の説明図である。
【図５】重ね合せ部分Ｘの断面図である。
【図６】従来の折板と、その施工方法の説明図である。
【図７】従来の施工方法における重ね合せ部分の断面図である。
【図８】倉庫の壁構造の説明図である。
【発明を実施するための形態】
【００１３】
つぎに、本発明の実施形態を図面に基づき説明する。
まず、図１に基づき本実施形態の折板の重ね合せ構造に用いられる折板を説明する。
符号Ｂ１〜Ｂ４は４枚の折板であって、図には各折板の端部のみ示している。折板Ｂ１〜Ｂ４の全体形状は四角形である。折板Ｂ１〜Ｂ４は図８と同様に建築物の壁の構成に用いられるものであり、多数枚が用いられるが、以下の図では上下左右に隣接する４枚のみを示している。
【００１４】
まず、図１に基づき、本発明の重ね合せ構造に用いる各折板の端部形状を説明する。折板の基本的形状は既述したとおり四角形であるので、端縁部は直角になった直角端縁ｃをもっている。また、断面形状は、平坦で広幅の平山部ａと、この平山部ａの両側に小幅の谷部ｂが繰り返して形成されている板材である。
【００１５】
このような形状の板材を用いた本発明の重ね合せ構造の特徴部分を、つぎに説明する。図１に示す上下左右の折板Ｂ１〜Ｂ４のうち対角に位置する一対の折板Ｂ２、Ｂ３については、端縁部が直角な直角端縁ｃのまま用いる。他の一対の折板Ｂ１、Ｂ４については、端縁部を斜めに切り欠いた傾斜端縁ｄに形成して用いる。
【００１６】
つぎに、本発明の施工方法を説明する。
図１に示すように、上下左右に隣接する折板の端縁部を互いに重ね合わせて複数枚の折板を固定して壁を構成する施工方法であって、上下左右の折板のうち対角に位置する一対の折板Ｂ１、Ｂ４については、１枚の折板Ｂ１の傾斜端縁ｄと別の１枚の折板Ｂ４の傾斜端縁ｄとを突合わせ、他の一対の折板Ｂ２、Ｂ３については直角端縁ｃを表側と裏側に重ねることを特徴とする。
【００１７】
以下、上記工法を詳述する。
（第１工程）
図２に示すように、右下の折板Ｂ３の上端縁に右上の折板Ｂ４の下端縁を重ねる。なお、平山部ａとその両側の谷部ｂは互いに嵌まり合い、隙間はできない。
【００１８】
（第２工程）
図３に示すように、左下の折板Ｂ１の傾斜端縁ｄを右上の折板Ｂ４の傾斜端縁ｄと突合わせる。なお、折板Ｂ４の右側の谷部は、右下の折板Ｂ３の左側の谷部に載せられる。
【００１９】
（第３工程）
図４に示すように、左上の折板Ｂ２の下端縁が左下の折板Ｂ１の上端縁に重ねられる。平山部とその両側の谷部は互いに嵌まり合い、隙間はできない。
【００２０】
（重ね合せ構造）
つぎに図４に基づき、上記の工程を経てできた重ね合せ構造を説明する。
Ｖ−Ｖ線は傾斜端縁ｄの突合せ部分の断面位置を示しており、その断面は図５に示されている。
傾斜端縁ｄで突合わせた折板Ｂ１、Ｂ４は、重ねられずに突合わされているだけなので、突合せ部分の厚さは実質１枚となる。これに、別の２枚の折板Ｂ２、Ｂ３を重ねても突合わせ部分こそ３枚となっても、それに続く側方部分は全て２枚分の重なり厚さにしかならない。
【００２１】
本発明の重ね合せ構造には、つぎの利点がある。
（１）傾斜端縁ｄが谷部ｂの全幅員と平山部ａの一部を含むことから、表側と裏側に重なる直角端縁ｃをもつ別の２枚の折板で表裏両側から傾斜端縁ｄを覆うことができる。
【００２２】
（２）折板Ｂの他の部分を壁用骨格に固定したときも折板Ｂに歪が生じないので、上下の重なり端縁に開口ができない。よって、風雨の進入を防止できる。
【符号の説明】
【００２３】
Ｂ  折板
ａ  平山部
ｂ  谷部
ｃ  直角端縁
ｄ  傾斜端縁
【図１】
2017210758.tif 000003
【図２】
2017210758.tif 000004
【図３】
2017210758.tif 000005
【図４】
2017210758.tif 000006
【図５】
2017210758.tif 000007
【図６】
2017210758.tif 000008
【図７】
2017210758.tif 000009
【図８】
2017210758.tif 000010
【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
上下左右に隣接する折板の端縁部を互いに重ね合わせて複数枚の折板を固定して壁を構成する薄鋼板製の折板であって、
前記折板が、平坦で広幅の平山部と、該平山部の両側に平坦で小幅の谷部が形成されている板材であり、
前記折板のうち対角に位置する一対の端縁部は端縁が直角な直角端縁に形成され、他の一対の端縁部は端縁を斜めに切り欠いた傾斜端縁に形成されており、
前記傾斜端縁が、前記谷部の全幅員を含み、かつ隣接する平山部の一部にかかるように形成されており、かつ前記傾斜端縁は一方が凸形の屈曲形状であり、他方が凹形の屈曲形状である
ことを特徴とする壁用折板。
【請求項２】
請求項１記載の壁用折板を重ね合わせて壁を構成する重ね合せ構造であって、
上下左右の４枚の折板のうち１枚の折板の直角端縁の上面に、他の２枚の折板の傾斜端縁を互いに突合せた状態で重ね、ついて残る１枚の折板の直角端縁を重ねる
ことを特徴とする壁用折板の重ね合せ構造。
【手続補正２】
【補正対象書類名】明細書
【補正対象項目名】全文
【補正方法】変更
【補正の内容】
【発明の詳細な説明】
【技術分野】
【０００１】
本発明は、壁用折板、および壁用折板の重ね合せ構造に関する。さらに詳しくは、建物の壁を構成する薄鋼板製の折板とそれを用いた重ね合せ構造に関する。
【背景技術】
【０００２】
建屋の壁を構成するのに薄鋼板製の折板がよく使用されている。折板は、鋼板製の薄平板に連続ロールプレスをかけて山と谷が交互に形成されるようにした建築資材である（特許文献１参照）。
このような折板は横幅寸法が７６ｃｍ、長さが２ｍ〜１０ｍ位のものが一般的であるので、壁を構成するのに何枚も張り付けるのが普通である。とくに、工場や倉庫のような大形の建屋では張付け枚数が相当多くなる。
【０００３】
図８は倉庫ＷＨの壁の施工例を示している。図示の例では折板が縦方向に３枚示され、横方向に４枚示されている。この各折板Ｂ１〜Ｂ４の重ね合せ部分（符号Ｚで示す）は上下左右に隣接する折板Ｂ１〜Ｂ４の上端縁と下端縁を重ね、かつ右側縁と左側縁とが重ねられて、風雨の侵入を防止するようにされるのが普通である。
【０００４】
その重ね合せ構造を図６に基づき説明する。
同図（Ａ）は４枚の折板Ｂ１、Ｂ２、Ｂ３、Ｂ４の端縁部分を示しており、未だ重ねられてない状態である。
【０００５】
同図（Ｂ）は、左下の折板Ｂ１の上端に左上の折板Ｂ２の下端を重ねた状態であり、同図（Ｃ）はついで左下の折板Ｂ１の右側縁に右下の折板Ｂ３の左側縁を重ねた状態である。同図（Ｄ）はさらに右上の折板Ｂ４を左上の折板Ｂ２の右側縁と右下の折板Ｂ３の上端に重ねた状態である。
このように重ねた状態で、各折板Ｂ１〜Ｂ４は壁を構成する横桟などにネジ止めして固定する。
【０００６】
この重ね合せの部分を拡大して断面視したものが、図７である。この従来方法では折板Ｂ１〜Ｂ４の４枚が全て重なった部分が谷部にでき上る。もちろん、４枚が重なった部分は４枚の各折板Ｂ１〜Ｂ４の四隅部分であって、それ以外の側縁同士や上下縁同士は２枚重ねのままであるので、重ね厚さに２倍の開きができる。
【０００７】
こうした状態で、各折板Ｂ１〜Ｂ４をネジ止めしていくと、２枚重ねの部分は互いに密着させることができるが、４枚重ねの部分の付近では、折板が縦桟や横桟から浮いている部分をビス止めするので折板Ｂに撓みが生じ、重ね目に隙間ｇができてしまう。
折板Ｂ１〜Ｂ４が壁を構成している以上、このような隙間ｇは下向きに開口するのであるが、台風や強風時の横なぐりの雨がくると、下向きの隙間ｇから上向きに雨水が侵入し、内部の柱や折板の裏面を腐食させる等の被害が生ずる。
【先行技術文献】
【特許文献】
【０００８】
【特許文献１】特開平８−２７９６１号公報
【発明の概要】
【発明が解決しようとする課題】
【０００９】
本発明は上記事情に鑑み、複数枚の折板を重ねた場合にも雨水の進入が生じない壁用折板、および壁用折板の重ね合せ構造を提供することを目的とする。
【課題を解決するための手段】
【００１０】
第１発明の壁用折板は、上下左右に隣接する折板の端縁部を互いに重ね合わせて複数枚の折板を固定して壁を構成する薄鋼板製の折板であって、前記折板が、平坦で広幅の平山部と、該平山部の両側に平坦で小幅の谷部が形成されている板材であり、前記折板のうち対角に位置する一対の端縁部は端縁が直角な直角端縁に形成され、他の一対の端縁部は端縁を斜めに切り欠いた傾斜端縁に形成されており、前記傾斜端縁が、前記谷部の全幅員を含み、かつ隣接する平山部の一部にかかるように形成されており、かつ前記傾斜端縁は一方が凸形の屈曲形状であり、他方が凹形の屈曲形状であることを特徴とする。
第２発明の壁用折板の重ね合せ構造は、請求項１記載の壁用折板の重ね合わせて壁を構成する重ね合せ構造であって、上下左右の４枚の折板のうち１枚の折板の直角端縁の上面に、他の２枚の折板の傾斜端縁を互いに突合せた状態で重ね、ついて残る１枚の折板の直角端縁を重ねることを特徴とする。
【発明の効果】
【００１１】
第１発明によれば、つぎの効果を奏する。
ａ）傾斜端縁が谷部の全幅員と平山部の一部を含むことから、表側と裏側に重なる直角端縁をもつ別の２枚の折板で表裏両側から傾斜端縁を覆うことができるので、雨風の侵入防止効果を高く維持できる。
ｂ）上下左右に位置する４枚の折板を重ねるとき、対角に位置する一対の折板の傾斜端縁を突き合わせば、突合せ部分の厚さは実質１枚となる。これに、別の一対の折板を重ねても上下の重なりと左右の重なりは、いずれも２枚分の重なり厚さにしかならない。このため、折板の他の部分を桟などに固定しても折板に歪が生じないので、上下の重なり端縁に開口ができない。よって、風雨の進入を防止できる。
第２発明によれば、上下左右に位置する４枚の折板を重ねるとき、対角に位置する一対の折板の傾斜端縁を突き合わせば、突合せ部分の厚さは実質１枚となる。これに、別の一対の折板を重ねても上下の重なりと左右の重なりは、いずれも２枚分の重なり厚さにしかならない。このため、折板の他の部分を桟などに固定しても折板に歪が生じないので、上下の重なり端縁に開口ができない。
【図面の簡単な説明】
【００１２】
【図１】本発明の一実施形態に係る折板の重ね合せ構造の説明図である。
【図２】本発明の折板の施工方法における第１工程の説明図である。
【図３】本発明の折板の施工方法における第２工程の説明図である。
【図４】本発明の折板の施工方法における第３工程の説明図である。
【図５】重ね合せ部分Ｘの断面図である。
【図６】従来の折板と、その施工方法の説明図である。
【図７】従来の施工方法における重ね合せ部分の断面図である。
【図８】倉庫の壁構造の説明図である。
【発明を実施するための形態】
【００１３】
つぎに、本発明の実施形態を図面に基づき説明する。
まず、図１に基づき本実施形態の折板を説明する。
符号Ｂ１〜Ｂ４は４枚の折板であって、図には各折板の端部のみ示している。折板Ｂ１〜Ｂ４の全体形状は四角形である。折板Ｂ１〜Ｂ４は図８と同様に建築物の壁の構成に用いられるものであり、多数枚が用いられるが、以下の図では上下左右に隣接する４枚のみを示している。
【００１４】
まず、図１に基づき、本発明の重ね合せ構造に用いる各折板の端部形状を説明する。折板の基本的形状は既述したとおり四角形であるので、端縁部は直角になった直角端縁ｃをもっている。また、断面形状は、平坦で広幅の平山部ａと、この平山部ａの両側に小幅の谷部ｂが繰り返して形成されている板材である。
【００１５】
このような形状の板材を用いた本発明の重ね合せ構造の特徴部分を、つぎに説明する。図１に示す上下左右の折板Ｂ１〜Ｂ４のうち対角に位置する一対の折板Ｂ２、Ｂ３については、端縁部が直角な直角端縁ｃのまま用いる。他の一対の折板Ｂ１、Ｂ４については、端縁部を斜めに切り欠いた傾斜端縁ｄに形成して用いる。
【００１６】
つぎに、本発明の重ね合せ構造を説明する。
図１に示すように、上下左右に隣接する折板の端縁部を互いに重ね合わせて複数枚の折板を固定して壁を構成する重ね合せ構造であって、上下左右の折板のうち対角に位置する一対の折板Ｂ１、Ｂ４については、１枚の折板Ｂ１の傾斜端縁ｄと別の１枚の折板Ｂ４の傾斜端縁ｄとを突合わせ、他の一対の折板Ｂ２、Ｂ３については直角端縁ｃを表側と裏側に重ねることを特徴とする。
【００１７】
以下、上記重ね合せ構造の工法を詳述する。
（第１工程）
図２に示すように、右下の折板Ｂ３の上端縁に右上の折板Ｂ４の下端縁を重ねる。なお、平山部ａとその両側の谷部ｂは互いに嵌まり合い、隙間はできない。
【００１８】
（第２工程）
図３に示すように、左下の折板Ｂ１の傾斜端縁ｄを右上の折板Ｂ４の傾斜端縁ｄと突合わせる。なお、折板Ｂ４の右側の谷部は、右下の折板Ｂ３の左側の谷部に載せられる。
【００１９】
（第３工程）
図４に示すように、左上の折板Ｂ２の下端縁が左下の折板Ｂ１の上端縁に重ねられる。平山部とその両側の谷部は互いに嵌まり合い、隙間はできない。
【００２０】
（重ね合せ構造）
つぎに図４に基づき、上記の工程を経てできた重ね合せ構造を説明する。
Ｖ−Ｖ線は傾斜端縁ｄの突合せ部分の断面位置を示しており、その断面は図５に示されている。
傾斜端縁ｄで突合わせた折板Ｂ１、Ｂ４は、重ねられずに突合わされているだけなので、突合せ部分の厚さは実質１枚となる。これに、別の２枚の折板Ｂ２、Ｂ３を重ねても突合わせ部分こそ３枚となっても、それに続く側方部分は全て２枚分の重なり厚さにしかならない。
【００２１】
本発明の重ね合せ構造には、つぎの利点がある。
（１）傾斜端縁ｄが谷部ｂの全幅員と平山部ａの一部を含むことから、表側と裏側に重なる直角端縁ｃをもつ別の２枚の折板で表裏両側から傾斜端縁ｄを覆うことができる。
【００２２】
（２）折板Ｂの他の部分を壁用骨格に固定したときも折板Ｂに歪が生じないので、上下の重なり端縁に開口ができない。よって、風雨の進入を防止できる。
【符号の説明】
【００２３】
Ｂ  折板
ａ  平山部
ｂ  谷部
ｃ  直角端縁
ｄ  傾斜端縁